(57)【要約】 【課題】  複数のサブフィールド期間を含むフレーム期間内でプラズマディスプレイパネルの画素セルを駆動する駆動方法を提供する。【解決手段】  フレーム期間内でプラズマディスプレイパネルの画素セルを駆動し、フレーム期間は、複数のサブフィールド期間を含む駆動方法であって、フレーム期間の特定サブフィールド期間の極性設定をするステップ、特定サブフィールド期間の前の各サブフィールド期間を極性設定に逆極性に設定するステップ、特定サブフィールド期間の後の各サブフィールド期間を前のスキャンラインの対応する画素セルが属する対応するサブフィールド期間と同極性に設定するステップ、およびフレーム期間の特定サブフィールド期間の後の全ての時間点で、極性設定に基づいて画素セルのＯＮまたはＯＦＦ状態を切換え、画素セルを駆動するステップを含む駆動方法。【選択図】図３
2005346084.tif 000002
【特許請求の範囲】
【請求項１】
複数のサブフィールド期間を含むフレーム期間内でプラズマディスプレイパネルの画素セルを駆動する方法であって、
前記フレーム期間の特定サブフィールド期間の極性設定をするステップ、
前記特定サブフィールド期間の前に位置する各サブフィールド期間を前記極性設定と逆極性に設定するステップ、
前記特定サブフィールド期間の後に位置する各サブフィールド期間を、前記特定サブフィールド期間の前に位置するスキャンラインの対応する画素セルが属するサブフィールド期間と同極性に設定するステップ、および
前記フレーム期間の前記特定サブフィールド期間の後の全ての時間点で、前記極性設定に基づいて前記画素セルのＯＮまたはＯＦＦ状態を切換え、前記画素セルを駆動するステップを含む駆動方法。
【請求項２】
前記特定サブフィールド期間の極性を１に設定し、前記特定サブフィールド期間の前に位置する各サブフィールド期間を０に設定した請求項１に記載の駆動方法。
【請求項３】
選択性書き込みモードの場合、前記画素セルは、前記フレーム期間の初期状態に於いて、ＯＦＦ状態にされ、前記特定サブフィールド期間の後にＯＮ状態にされる請求項２に記載の駆動方法。
【請求項４】
選択性消去モードの場合、前記画素セルは、前記フレーム期間の初期状態に於いて、ＯＮ状態にされ、前記特定サブフィールド期間の後にＯＦＦ状態にされる請求項２に記載の駆動方法。
【請求項５】
複数のサブフィールド期間を含むフレーム期間内でプラズマディスプレイパネルの画素セルを駆動する方法であって、
前記フレーム期間の特定サブフィールド期間の極性設定をするステップ、
前記特定サブフィールド期間の前に位置する各サブフィールド期間を前記極性設定に逆極性に設定するステップ、
特定サブフィールド期間の前と後とに位置するスキャンラインの対応する画素セルが対応するサブフィールド期間の極性に基づいて、前記特定サブフィールド期間の後に位置する各サブフィールド期間の極性を設定するステップ、および
前記フレーム期間の前記特定サブフィールド期間の後の全ての時間点で、前記極性設定に基づいて前記画素セルのＯＮまたはＯＦＦ状態を切換え、前記画素セルを駆動するステップを含む駆動方法。
【請求項６】
前記特定サブフィールド期間の後に位置する各サブフィールド期間の極性は、前と後のスキャンラインの対応する画素セルが属する対応するサブフィールド期間の極性のＡＮＤ演算の結果である請求項５に記載の駆動方法。
【請求項７】
前記特定サブフィールド期間の後の各サブフィールド期間の極性は、特定サブフィールド期間の前と後とに位置するスキャンラインの対応する画素セルが対応するサブフィールド期間の極性のＯＲ演算の結果である請求項５に記載の駆動方法。
【請求項８】
前記特定サブフィールド期間の極性は１に設定され、前記特定サブフィールド期間の前に位置する各サブフィールド期間の極性は０に設定される請求項５に記載の駆動方法。
【請求項９】
選択性書き込みモードでは、前記画素セルは、前記フレーム期間の初期状態に於いてＯＦＦ状態にされ、前記特定サブフィールド期間の後にＯＮ状態にされる請求項８に記載の駆動方法。
【請求項１０】
選択性消去モードでは、前記画素セルは、前記フレーム期間の初期状態に於いてＯＮ状態にされ、前記特定サブフィールド期間の後にＯＦＦ状態にされる請求項８に記載の駆動方法。
【請求項１１】
複数のデータライン、データ駆動回路、
前記データラインと交差して複数の画素セルを形成し、維持電流供給ラインとスキャン電極を含む複数のスキャンライン、
前記スキャンラインを駆動するスキャン電極駆動回路、
画像データを変換し、前記データ駆動回路に対応する画素セルを駆動させ、前記画像データは、複数のサブフィールド期間を含み、その中の一つは特定サブフィールド期間とするデータ変換回路を含み、
前記データ変換回路は、前記特定サブフィールド期間の後に位置する各サブフィールド期間を前のスキャンラインの対応する画素セルの画像データの対応するサブフィールド期間と同極性に変換する画像セルの駆動方法を用いたプラズマディスプレイ。
【請求項１２】
複数のデータライン、データ駆動回路、
前記データラインと交差して複数の画素セルを形成し、維持電流供給ラインとスキャン電極を含む複数のスキャンライン、
前記スキャンラインを駆動するスキャン電極駆動回路、
画像データを変換し、前記データ駆動回路に対応する画素セルを駆動させ、前記画像データは、複数のサブフィールド期間を含み、その中の一つは特定サブフィールド期間とするデータ変換回路を含み、
前記データ変換回路は、前記特定サブフィールド期間の前と後とに位置するスキャンラインの対応する画素セルの画像データの対応するサブフィールド期間の極性に基づいて、前記特定サブフィールド期間の後の各サブフィールド期間の極性を変換する画像セルの駆動方法を用いたプラズマディスプレイ。
【請求項１３】
前記特定サブフィールド期間の前の各サブフィールド期間を変換する前記データ変換回路は、前のスキャンラインと後のスキャンラインの対応する画素セルの画像データの対応するサブフィールド期間の極性のＡＮＤ演算の結果である請求項１２に記載のプラズマディスプレイ。
【請求項１４】
前記特定サブフィールド期間の前の各サブフィールド期間を変換する前記データ変換回路は、前のスキャンラインと後のスキャンラインの対応する画素セルの画像データの対応するサブフィールド期間の極性のＯＲ演算の結果である請求項１２に記載のプラズマディスプレイ。
【発明の詳細な説明】
【技術分野】
【０００１】
本発明は、プラズマディスプレイに関し、特に、プラズマディスプレイの駆動方法に関するものである。
【背景技術】
【０００２】
薄型ディスプレイの要求が増えるにつれ、プラズマディスプレイの技術も発展してきた。プラズマディスプレイは、複数のデータラインと複数のスキャンラインを含み、互いに交差して複数の画素セルを形成する。前記画素セルは、駆動電力を受け発光し、ビデオ信号に基づいて輝度の階調（グレー値）の変化を生じさせる。
【０００３】
図１に示すように、一つのビデオ信号の一つのフレーム期間Ｔは、四つの連続したサブフィールド期間ＳＦ１〜ＳＦ４に分かれる。各サブフィールド期間は、リセット期間Ｒｃ、アドレス期間、持続期間Ｉｃと、消去期間Ｅなどの連続したいくつかの期間を含む。リセット期間Ｒｃでは、全ての画素セルは全てＯＮ、またはＯＦＦ状態の初期状態に設定される。アドレス期間Ｗｃでは、各画素セルは、全て対応する画像データに基づいてＯＮ、またはＯＦＦに設定される。持続期間Ｉｃでは、各画素セルのＯＮ、またはＯＦＦ状態は、全て保持される。消去期間Ｅでは、各ＯＮ状態にある画素セルはＯＦＦに切換えられる。各画素セルの発光した階調の大きさは、画素セルのＯＮに設定されたサブフィールド期間の長さによって決められる。そして、各サブフィールド期間の持続時間の長さが、前記サブフィールド期間が作り出した輝度に比例する。例えば、図１の四つのサブフィールド期間を有するフレーム期間の場合、各サブフィールド期間の発光時間は、１：２：４：８の比例関係を有し、対応して形成された輝度も１：２：４：８の比例関係を示す。かかる場合、一つのフレーム期間の中にある画素セルは、デジタル信号で制御されるため、１６の階調を有することができる。同様に、仮に一つのフレーム期間に８つのサブフィールド期間を有する場合、２５６の階調を作り出すことができる。つまり、Ｎ個のサブフィールド期間は、２Ｎ個サブフィールド期間を作り出すことができる。
【０００４】
このような従来の発光制御の欠点は、各画素セルは、各サブフィールド期間の初めの期間でリセットされ、アドレス期間Ｗｃで再びアドレス指定される。よって、アドレス期間Ｗｃで多数の切換え動作を行うことになり、アドレス集積回路を発熱させ、電力消費も大きくなる。ここで、前記アドレス集積回路とは、アドレス期間Ｗｃでアドレス指定の動作を行うもの集積回路を指すものである。また、アドレス期間Ｗｃで多くの動作を行わせる場合の、もう一つの欠点は、動画を表示する時、画像のにじみが生じ、くっきりした鮮明な画像が得られなくなる擬似輪郭障害が生じる。
【０００５】
図２では、リセット期間Ｒｃは、フレーム期間Ｔが始まる時にのみ、存在し、消去段階Ｅは、フレーム期間が終わる時にのみ、存在する。フレーム期間Ｔの時間の内部のサブフィールド期間にリセット期間と消去期間とがないことから、例えば画素セルが、１にアドレス指定され、且つ、選択性書き込みモードでＯＮ、または選択性消去モードでＯＦＦに切換えられた時、その値は、フレーム期間中の残りのサブフィールド期間も、同じ極性に維持される。よって、各画素セルは、各フレーム期間で一回のアドレス指定がされるので、アドレス集積回路が切換わる時に発生する発熱及び消費電力を減少させることができる。しかし、アドレス集積回路の動作切換え数と発熱及び消費電力をさらに削減することが要求される。
【０００６】
【特許文献１】特開２００１−２３６０３７号公報
【発明の開示】
【発明が解決しようとする課題】
【０００７】
以上のことから、本発明は、複数のサブフィールド期間を含むフレーム期間内でのサブフィールド期間の制御方法であって、サブフィールド期間の極性の切り替え回数が少なく、熱発生量及び消費電力を小さくすることの出来るプラズマディスプレイパネルの画素セルの駆動方法を提供する。
【課題を解決するための手段】
【０００８】
上記課題を達成するため、以下の画素セルの駆動方法を提供する。即ち、複数のサブフィールド期間を含むフレーム期間内でプラズマディスプレイパネルの画素セルを駆動する方法であって、前記フレーム期間の特定サブフィールド期間の極性設定をするステップ、前記特定サブフィールド期間の前に位置する各サブフィールド期間を前記極性設定と逆極性に設定するステップ、前記特定サブフィールド期間の後に位置する各サブフィールド期間を、前記特定サブフィールド期間の前に位置するスキャンラインの対応する画素セルが属するサブフィールド期間と同極性に設定するステップ、および前記フレーム期間の前記特定サブフィールド期間の後の全ての時間点で、前記極性設定に基づいて前記画素セルのＯＮまたはＯＦＦ状態を切換え、前記画素セルを駆動するステップを含む駆動方法を採用する。第１の駆動方法である。なお、本件発明に言う極性とは、デジタル信号に対応させた極性であり、１又は０を意味する。
【０００９】
前記第１の駆動方法に於いて、当該特定サブフィールド期間の極性は１に設定され、前記特定サブフィールド期間の前に位置する各サブフィールド期間の極性は０に設定される事が好ましい。
【００１０】
そして、第１の駆動方法に於いて、選択性書き込みモードの場合、前記画素セルは、前記フレーム期間の初期状態に於いて、ＯＦＦ状態にされ、前記特定サブフィールド期間の後にＯＮ状態にされる事が好ましい。
【００１１】
また、第１の駆動方法に於いて、選択性消去モードの場合、前記画素セルは、前記フレーム期間の初期状態に於いて、ＯＮ状態にされ、前記特定サブフィールド期間の後にＯＦＦ状態にされる事が好ましい。
【００１２】
複数のサブフィールド期間を含むフレーム期間内でプラズマディスプレイパネルの画素セルを駆動する方法であって、前記フレーム期間の特定サブフィールド期間の極性設定をするステップ、前記特定サブフィールド期間の前に位置する各サブフィールド期間を前記極性設定に逆極性に設定するステップ、特定サブフィールド期間の前と後とに位置するスキャンラインの対応する画素セルが対応するサブフィールド期間の極性に基づいて、前記特定サブフィールド期間の後に位置する各サブフィールド期間の極性を設定するステップ、および前記フレーム期間の前記特定サブフィールド期間の後の全ての時間点で、前記極性設定に基づいて前記画素セルのＯＮまたはＯＦＦ状態を切換え、前記画素セルを駆動するステップを含む駆動方法を採用することも好ましい。第２の駆動方法である。
【００１３】
第２の駆動方法に於いて、前記特定サブフィールド期間の後に位置する各サブフィールド期間の極性は、特定サブフィールド期間の前と後とに位置するスキャンラインの対応する画素セルが対応するサブフィールド期間の極性のＡＮＤ演算の結果を用いることが好ましい。
【００１４】
第２の駆動方法に於いて、前記特定サブフィールド期間の後の各サブフィールド期間の極性は、特定サブフィールド期間の前と後とに位置するスキャンラインの対応する画素セルが対応するサブフィールド期間の極性のＯＲ演算の結果を用いることが好ましい。
【００１５】
第２の駆動方法に於いて、前記特定サブフィールド期間の極性は１に設定され、前記特定サブフィールド期間の前に位置する各サブフィールド期間の極性は０に設定される事が好ましい
【００１６】
第２の駆動方法に於いて、選択性書き込みモードでは、前記画素セルは、前記フレーム期間の初期状態に於いてＯＦＦ状態にされ、前記特定サブフィールド期間の後にＯＮ状態とする事が好ましい。
【００１７】
第２の駆動方法に於いて、選択性消去モードでは、前記画素セルは、前記フレーム期間の初期状態に於いてＯＮ状態にされ、前記特定サブフィールド期間の後にＯＦＦ状態とすることが好ましい。
【００１８】
上記駆動方法をプラズマディスプレイパネルに応用すると、以下のようなプラズマディスプレイパネルとなる。即ち、複数のデータライン、データ駆動回路、前記データラインと交差して複数の画素セルを形成し、維持電流供給ラインとスキャン電極を含む複数のスキャンライン、前記スキャンラインを駆動するスキャン電極駆動回路、画像データを変換し、前記データ駆動回路に対応する画素セルを駆動させ、前記画像データは、複数のサブフィールド期間を含み、その中の一つは特定サブフィールド期間とするデータ変換回路を含み、前記データ変換回路は、前記特定サブフィールド期間の後に位置する各サブフィールド期間を前のスキャンラインの対応する画素セルの画像データの対応するサブフィールド期間と同極性に変換する駆動方法を用いたプラズマディスプレイである。
【００１９】
また、複数のデータライン、データ駆動回路、前記データラインと交差して複数の画素セルを形成し、維持電流供給ラインとスキャン電極を含む複数のスキャンライン、前記スキャンラインを駆動するスキャン電極駆動回路、画像データを変換し、前記データ駆動回路に対応する画素セルを駆動させ、前記画像データは、複数のサブフィールド期間を含み、その中の一つは特定サブフィールド期間とするデータ変換回路を含み、前記データ変換回路は、前記特定サブフィールド期間の前と後とに位置するスキャンラインの対応する画素セルの画像データの対応するサブフィールド期間の極性に基づいて、前記特定サブフィールド期間の後の各サブフィールド期間の極性を変換する画像セルの駆動方法を用いたプラズマディスプレイである。
【００２０】
前記プラズマディスプレイにおいて、前記特定サブフィールド期間の前の各サブフィールド期間を変換する前記データ変換回路は、前のスキャンラインと後のスキャンラインの対応する画素セルの画像データの対応するサブフィールド期間の極性のＡＮＤ演算の結果であることも好ましい。
【００２１】
前記プラズマディスプレイにおいて、前記特定サブフィールド期間の前の各サブフィールド期間を変換する前記データ変換回路は、前のスキャンラインと後のスキャンラインの対応する画素セルの画像データの対応するサブフィールド期間の極性のＯＲ演算の結果であることも好ましい。
【００２２】
以上の手段を要約すると、以下のようになる。前記駆動方法は、下記のステップを含む。まず、対応する画面輝度のデータを前記フレーム期間の特定サブフィールド期間に基づいて一定の極性に設定する。次に、前記特定サブフィールド期間の前に位置する各サブフィールド期間を前記極性設定と逆極性に設定する。最後に、前記特定サブフィールド期間の後に位置する各サブフィールド期間を、前のスキャンラインの対応する画素セルに対応するサブフィールド期間と同極性に設定し、且つ、前記フレーム期間の前記特定サブフィールド期間の後の全ての時間点で、前記極性設定に基づいて前記画素セルのＯＮまたはＯＦＦ極性を切換え、前記画素セルを駆動する。
【００２３】
また、本発明は、複数のデータラインとデータ駆動回路を含むプラズマディスプレイを提供する。このプラズマディスプレイは、複数のスキャンラインを含み、前記データラインと交差して複数の画素セルを形成する。各スキャンラインは維持電流供給ラインとスキャン電極、前記スキャンラインを駆動するスキャン電極駆動回路を含む。また、画像データを変換し、前記データ駆動回路に対応する画素セルを駆動させ、前記画像データは複数のサブフィールド期間を含み、その中の一つは特定サブフィールド期間であるデータ変換回路を更に含む。実施例では、前記データ変換回路は、前記特定サブフィールド期間の後の各サブフィールド期間の極性を前に位置するスキャンラインの対応する画素セルの画像データの対応するサブフィールド期間と同極性に変換する。もう一つの実施例では、前記データ変換回路は、前と後のスキャンラインの対応する画素セルの画像データの対応するサブフィールド期間の極性に基づいて、前記特定サブフィールド期間の後の各サブフィールド期間の極性を変換する。
【発明の効果】
【００２４】
本件発明に係る画素セルの駆動方法及びその駆動方法を採用したプラズマディスプレイを用いれば、画素セルの極性の切換え回数を減少させ、消費電力の削減が可能となる。
【発明を実施するための最良の形態】
【００２５】
本発明についての目的、特徴、長所が一層明確に理解されるよう、以下に実施形態を例示し、図面を参照にしながら、詳細に説明する。
【００２６】
図３は、本発明の実施例で用いるプラズマディスプレイの発光回路構造の一つを例示的に表している。前記プラズマディスプレイは、複数のデータラインＤ１〜ＤＭと、前記データラインに交差した複数のスキャンラインを含む。各スキャンラインは、維持電流供給ラインＸ１〜Ｘｎと、対応するスキャン電極Ｙ１〜Ｙｎを含む。各データラインとスキャンラインの公差点が、画素セルを形成し、ガス放電をおこさせ発光する。各画素セルは、それぞれ赤、緑または青色光を放つ。
【００２７】
前記画素セルは、データ電極駆動回路３１０によって作動され、放電し、発光する。階調は、画素セルのサブフィールド期間の極性値（ＳＦ値）に基づいて決められる。前記ＳＦ値は、データ変換回路３２０によって画像データを変換して得られる。その他の構成材は、アナログデジタルコンバータ３３０、同期検出器３４０、駆動制御回路３５０、フレーム期間メモリ３６０と行駆動回路３７０（Ｘを制御する持続電流供給回路とＹを制御するスキャンライン駆動回路）を含む。この構成に関しては、従来の技術と変わりはしない。本実施例では、従来のＣＬＥＡＲ駆動方法（コントラスト、擬似輪郭障害を改善）を変えた、新たなＣＬＥＡＲ駆動方法を採用するのである。本件発明の理解が容易となるように、従来法について先に述べる。図２に示すように、ＣＬＥＡＲ駆動方法によって、フレーム期間Ｔは、初めの時のリセット期間Ｒｃ、１４のサブフィールド期間ＳＦ１４〜ＳＦ１と、終わりの時の消去期間Ｅに分けることができる。各サブフィールド期間は、持続期間Ｉｃに続くアドレス期間Ｗｃを有する。選択性書き込みモードでは、画素セルは、フレーム期間の初めの時に、ＯＦＦ状態にリセットされる。画素セルは、続いてサブフィールド期間ＳＦ１４からＳＦ１に向けて順次スキャンされる。各サブフィールド期間のスキャンについて言えば、例えば、各画素セルは、第一スキャンライン（Ｘ１、Ｙ１）から最後のスキャンライン（Ｘｎ、Ｙ１）までスキャンされた後、次のサブフィールド期間で繰返されるという動作になる。各画素セルは、ある特定のサブフィールド期間でＯＮ状態に切換えられ、残りのフレーム期間Ｔの間、その極性を維持する。フレーム期間Ｔが終わる時、前記画素セルは、消去期間ＥでＯＦＦに切換えられる。
【００２８】
発光時間に対応した画素セルの画像データは、データ変換回路３２０でＳＦ値に変換され、フレーム期間メモリ３６０に保存される。データ変換回路３２０の操作をより理解するために、図４と図５とに、従来の選択性書き込みモードで変換する。書き込み変換表は、例えば、００００からステップ１１１０の前記画像データをＳＦ値に変換するように用いられる。前記ＳＦ値は、１４ディジットを含み、その中の０または１は、対応して前記１４のサブフィールド期間の極性を意味し、前記データの階調を決定する。一般的に、数値０は、特定サブフィールド期間内でＯＦＦの画素セルの極性を示し、数値１は、ＯＮを示す。ＣＬＥＡＲ駆動方法では、画素セルは、第一値が１のサブフィールド期間でスキャンされた時、ＯＮに切換えられ、前記フレーム期間が終わるまで前記極性を維持する。第一値が１のサブフィールド期間は、ここでは特定サブフィールド期間と呼ばれる。よって、前記特定サブフィールド期間の後にあるサブフィールド期間のＳＦ値は、画素セルのＯＮとＯＦＦに影響しないのが通常である。よって、図４の場合には、フレーム期間の前記特定サブフィールド期間の後の全てのサブフィールド期間は、全て０値となる。例えば、画像データ１０１０の階調は１１であり、つまり、００００１０００００００００に変換される。これに対し図５では、フレーム期間の前記特定サブフィールド期間の後の全てのサブフィールド期間は、全て１値にされる。例えば、画像データ１０１０の階調は１１であり、つまり、００００１１１１１１１１１１に変換される。
【００２９】
図６は、選択性消去モードでＣＬＥＡＲ駆動方法を用いたフレーム期間のタイミング図を表している。フレーム期間Ｔは、サブフィールド期間ＳＦ１４からＳＦ１の１４のサブフィールド期間を順次に配列し初めのリセット期間Ｒｃと、終わりの時の消去期間Ｅに分けられる。各サブフィールド期間は、持続期間Ｉｃに続くアドレス期間Ｗｃを含む。選択性書き込みモードでは、前記画素セルは、前記フレーム期間の初めの時に、ＯＮ状態にリセットされる。前記画素セルは、例えば、第一スキャンライン（Ｘ１、Ｙ１）から最後のスキャンライン（Ｘｎ、Ｙ１）まで、続いてスキャンされる。続いて、前記プロセスは、次のサブフィールド期間で繰返し行われる。各画素セルは、特定のサブフィールド期間でＯＦＦに切換えられ、その後、フレーム期間が終わるまで前記極性を維持する。最後に、前記画素セルは、フレーム期間が終わる時、ＯＦＦに切換えられる。
【００３０】
フレーム期間の画素セルの画像データは、データ変換回路３２０でＳＦ値に変換され、フレーム期間メモリ３６０に保存される。図７と図８とに示すように、消去変換表は、前記画像データを例えば、００００からステップ１１１０のＳＦ値に変換する。図７と図８とで注意するべきは、前記１４のサブフィールド期間の左から右への順序は、サブフィールド期間ＳＦ１からＳＦ１４である。これは、図４と図５との選択性書き込みモードと反対の配置である。前記ＳＦ値は、１４ディジットを含み、その中の０または１は、対応して前記１４のサブフィールド期間の極性を意味し、前記データの階調を反映する。一般的に、数値０は、特定サブフィールド期間内でＯＦＦの画素セルの極性を示し、数値１は、ＯＮを示す。ＣＬＥＡＲ駆動方法では、画素セルは、第一値が１のサブフィールド期間でスキャンされた時、ＯＮに切換えられ、前記フレーム期間が終わるまで前記極性を維持する。前記第一値が１のサブフィールド期間は、ここでは特定サブフィールド期間と呼ばれる。よって、前記特定サブフィールド期間の後にくるサブフィールド期間のＳＦ値は、画素セルのＯＮとＯＦＦに影響しない。よって、図７では、１フレーム期間の前記特定サブフィールド期間後の全てのサブフィールド期間は、全て０値にされる。例えば、画像データ１０１０の階調は１１であり、つまり、００００１０００００００００に変換される。図８では、フレーム期間の前記特定サブフィールド期間の後の全てのサブフィールド期間は、全て１値にされる。例えば、前記画像データ１０１０の階調は１１であり、つまり、００００１１１１１１１１１１に変換される。
【００３１】
図９では、プラズマディスプレイの５つの画素セルを例にとることとする。セル（ｍ、ｋ−２）、セル（ｍ、ｋ−１）、セル（ｍ、ｋ）、セル（ｍ、ｋ＋１）と、セル（ｍ、ｋ＋２）は、データラインＤｍとスキャンライン（Ｘｋ−２、Ｙｋ−２）、（Ｘｋ−１、Ｙｋ−１）、（Ｘｋ、Ｙｋ）、（Ｘｋ＋１、Ｙｋ＋１）と、（Ｘｋ＋２、Ｙｋ＋２）の公差点に対応して位置される。図１０は、図４に示された従来の方法で変換されて得たＳＦ値で、その階調がそれぞれ８、１０、１１、１０、７を例に随意に選択したセル（ｍ、ｋ−２）、セル（ｍ、ｋ−１）、セル（ｍ、ｋ）、セル（ｍ、ｋ＋１）と、セル（ｍ、ｋ＋２）のセットを示す。図１０におけるサブフィールド期間１０（ＳＦ１０）のスキャンを例にすると、プラズマディスプレイがスキャンライン（Ｘｋ−２、Ｙｋ−２）からスキャンライン（Ｘｋ＋２、Ｙｋ＋２）をスキャンした時、データラインＤｍの値は、０から１、１から０、０から１と、１から０に変わる。よって、４回のＳＦ値の切換え動作が発生する。図１１は、同じように、図５に示された従来の方法で変換されて得たＳＦ値で、その階調がそれぞれ８、１０、１１、１０、７を例に随意に選択したセル（ｍ、ｋ−２）、セル（ｍ、ｋ−１）、セル（ｍ、ｋ）、セル（ｍ、ｋ＋１）と、セル（ｍ、ｋ＋２）のもう一つのセットを示す。図１１でサブフィールド期間１０（ＳＦ１０）のスキャンを例にすると、プラズマディスプレイがスキャンライン（Ｘｋ−２、Ｙｋ−２）からスキャンライン（Ｘｋ＋２、Ｙｋ＋２）をスキャンした時、データラインＤｍの値は、０から１、１から０に変わり、よって、２回のＳＦ値の切換え動作が発生する。
【００３２】
以下に述べる方法は、フレーム期間Ｔ内で、画素セルの前のスキャンラインおよび／または次のスキャンラインの対応する画素セルの対応するサブフィールド期間のＳＦ値に基づいて、前記画素セルの特定サブフィールド期間の次に位置する全サブフィールド期間のＳＦ値を決める。その結果、ＳＦ値のデータ駆動ＩＣによる切り換え操作の回数を減少させ発熱を抑制すると、同時に消費電力も減少させる。
【実施例１】
【００３３】
図１２は、本発明の実施例の一つを示し、１４のサブフィールド期間に分けられたフレーム期間Ｔでプラズマディスプレイの画素セルを駆動する。ステップ９１０では、対応する画像データに基づいて、各画素セルのフレーム期間の特定サブフィールド期間が特定極性にする。ステップ９２０では、特定サブフィールド期間の前に位置する各サブフィールド期間は、前記特定極性と反対の極性にする。ステップ９３０では、特定サブフィールド期間の後に位置する各サブフィールド期間は、前のスキャンラインの対応する画素セルの対応するサブフィールド期間と同極性に設置される。ステップ９４０では、前記画素セルの駆動方法は、前記特定極性に基づいて、前記特定サブフィールド期間が始まる時に、前記画素セルをＯＮまたはＯＦＦに切換え、その極性を前記フレーム期間が終わるまで維持する。
【００３４】
図１３は、図１２のステップ９１０で示された方法で変換されたデータラインＤｍとスキャンラインｋ−２〜ｋ＋２に位置した５つが交差して形成した画素セルの１セットから画像データ（１０００、１０１０、１０１１、１０１０、０１１１）の１セットを得たＳＦデータ表を示している。ステップ９１０では、前記画像データの階調に基づいて、特定サブフィールド期間［セル（ｍ、ｋ−２）のサブフィールド期間ＳＦ８、セル（ｍ、ｋ−１）のサブフィールド期間ＳＦ１０、セル（ｍ、ｋ）のサブフィールド期間ＳＦ１１、セル（ｍ、ｋ＋１）のサブフィールド期間ＳＦ１０と、セル（ｍ、ｋ＋２）のサブフィールド期間ＳＦ７などを含む］が１値に設定される。ステップ９２０で、特定サブフィールド期間の前に位置する各サブフィールド期間は、０値に設定される（特定サブフィールド期間の値と相反する）。
【００３５】
ステップ９３０では、セル（ｍ、ｋ−２）のフレーム期間で、サブフィールド期間ＳＦ８の後に位置するサブフィールド期間ＳＦ７〜ＳＦ１は、前のスキャンラインの対応する画素セルの対応するサブフィールド期間に基づいて全て０値に設定される。セル（ｍ、ｋ−１）のフレーム期間で、サブフィールド期間ＳＦ１０の後のサブフィールド期間ＳＦ９〜ＳＦ１は、全て対応するセル（ｍ、ｋ−２）と同じ値に設定される。セル（ｍ、ｋ）のフレーム期間で、サブフィールド期間ＳＦ１１の後に位置するサブフィールド期間ＳＦ１０〜ＳＦ１は、全て対応するセル（ｍ、ｋ−１）と同じ値に設定される。セル（ｍ、ｋ＋１）のフレーム期間で、サブフィールド期間ＳＦ１０の後に位置するサブフィールド期間ＳＦ９〜ＳＦ１は、全て対応するセル（ｍ、ｋ）と同じ値に設定される。セル（ｍ、ｋ＋２）のフレーム期間で、サブフィールド期間ＳＦ７の後に位置するサブフィールド期間ＳＦ６〜ＳＦ１は、全て対応するセル（ｍ、ｋ＋１）と同じ値に設定される。ステップ９４０では、ＳＦ値は、選択性書き込みモードで、前記特定サブフィールド期間から画素セルを駆動し始め、フレーム期間が終わるまでその極性を持続してプラズマディスプレイを駆動する。
【００３６】
スキャンライン（Ｘｋ−２、Ｙｋ−２）からスキャンライン（Ｘｋ＋２、Ｙｋ＋２）までのサブフィールド期間ＳＦ１１をスキャンしている時、前記データ駆動集積回路は、前記データラインＤｍで２回、ＳＦ値を切換えなければならない。同様に、サブフィールド期間ＳＦ１０をスキャンしている時、前記データ駆動集積回路は、前記ＳＦ値を２回、切換えなければならない。サブフィールド期間ＳＦ８をスキャンしている時と、サブフィールド期間ＳＦ７をスキャンしている時は、それぞれ１回切換が必要になる。合計で、前記データ駆動集積回路は、前記データラインＤｍで６回、ＳＦ値を切換えることになる。同じように、サブフィールド期間ＳＦ１４からサブフィールド期間ＳＦ１の間で、スキャンライン（Ｘｋ−２、Ｙｋ−２）からスキャンライン（Ｘｋ＋２、Ｙｋ＋２）までをスキャンしている間、図１０に示す従来の方法に比べ、切り換え回数が２回少なくなる。
【実施例２】
【００３７】
図１４に示すように、１４のサブフィールド期間に分けられたフレーム期間Ｔでプラズマディスプレイの画素セルを駆動する本発明の実施例の方法は、四つのステップを含む。ステップ１１１０では、各画素セルのフレーム期間の特定サブフィールド期間を、画像データに基づいて特定極性に設定する。ステップ１１２０では、特定サブフィールド期間の前に位置する各サブフィールド期間は、全て前記特定サブフィールド期間の極性と反対の極性に設定する。ステップ１１３０では、特定サブフィールド期間に位置する後の各サブフィールド期間は、全て前に位置するスキャンラインと後に位置するスキャンラインの対応する画素セルのサブフィールド期間の極性に基づいて設定する。ステップ１１４０では、前記特定サブフィールド期間の極性に基づいて前記画素セルがＯＮまたはＯＦＦに切換えられ、前記フレーム期間が終わるまで前記極性を維持して駆動する。
【００３８】
１つの実施例として、前記駆動方法は、前のスキャンラインと後のスキャンラインの対応する画素セルの対応するサブフィールド期間のＡＮＤ演算の結果に基づいて、前記特定サブフィールド期間の後の各サブフィールド期間を設定する。画素セルの特定サブフィールド期間の後のサブフィールド期間について言えば、仮に、前のスキャンラインと後のスキャンラインの対応する画素セルの対応するＳＦ値が全て１の場合、結果は、１である。よって、前後の切換えの動作を省略することができる。
【００３９】
もう一つの実施例として、前記駆動方法は、前記前のスキャンラインと後のスキャンラインの対応する画素セルの対応するサブフィールド期間のＯＲ演算に基づいて、前記特定サブフィールド期間の後の各サブフィールド期間を設定する。しかし、本発明はこれに限定せず、例えば、その他のブール演算も状況に応じて用いることができる。
【００４０】
図１５は、変換ステップの実施例を示している。前記画素セルの画像データは、前記ＡＮＤ演算によってＳＦ値に変換され、前記データ駆動回路に提供されて前記画素セルを駆動する。ステップ１２１０では、図１０に示したと同様に初めのＳＦ値を「１」にセットした場合を例に挙げている。前記画像データの階調に基づいて、各画素セルについて言えば、その特定サブフィールド期間は、セル（ｍ、ｋ−２）のサブフィールド期間ＳＦ８、セル（ｍ、ｋ−１）のサブフィールド期間ＳＦ１０、セル（ｍ、ｋ）のサブフィールド期間ＳＦ１１、セル（ｍ、ｋ＋１）のサブフィールド期間ＳＦ１０と、セル（ｍ、ｋ＋２）のサブフィールド期間ＳＦ７に分けられ、その値は、全て１値に設定される。そして、ステップ１２２０では、特定サブフィールド期間の前に位置する各サブフィールド期間は、全て０値に設定する。また、ステップ１２３０では、特定サブフィールド期間の後に位置する各サブフィールド期間は、全て０値に設定される。
【００４１】
ステップ１２３５では、一例として、第一スキャンラインのセル（ｍ、ｋ−２）のサブフィールド期間ＳＦ１０からＡＮＤ演算が始めるものとする。ステップ１２４０では、セル（ｍ、ｋ−２）の中のサブフィールド期間ＳＦ１０は、特定サブフィールド期間でない場合を考える。すると、ステップ１２４５で、演算対象を、セル（ｍ、ｋ−１）のサブフィールド期間ＳＦ１０に移動させる。そして、ステップ１２４０に戻り、サブフィールド期間ＳＦ１０を、セル（ｍ、ｋ−１）の特定サブフィールド期間として取り扱う。ステップ１２５０では、セル（ｍ、ｋ）のサブフィールド期間ＳＦ１０がセル（ｍ、ｋ）のサブフィールド期間ＳＦ１１の後に位置するのを確認すると、特定サブフィールド期間を決定する。この結果、特定サブフィールド期間の位置が正しければ、ステップ１２５５で、セル（ｍ、ｋ）のサブフィールド期間ＳＦ１０のＩＤ値を保存する。そして、ステップ１２５０に戻る。ステップ１２５０で判断した結果、セル（ｍ、ｋ＋１）のサブフィールド期間ＳＦ１０は、その特定サブフィールド期間の後に位置しないとする。その場合はステップ１２６０で、セル（ｍ、ｋ＋１）のサブフィールド期間ＳＦ１０は、特定サブフィールド期間の位置の判断を行う。ステップ１２６５では、セル（ｍ、ｋ）のサブフィールド期間ＳＦ１０、つまり既に保存されたＩＤ値が１値に設定される。そして、ステップ１２７０では、保存のＩＤデータが消去される。その後、ステップ１２５０に戻る。一方、セル（ｍ、ｋ＋２）のサブフィールド期間ＳＦ１０は、ＳＦ７の後の特定サブフィールド期間として位置することはない。かかる場合、ステップ１２６０では、セル（ｍ、ｋ＋２）のサブフィールド期間ＳＦ１０は、特定サブフィールド期間にできないと判断される。すると、ステップ１２７５で、仮に既に保存されたＩＤデータがある場合には、消去される。そして、ステップ１２８０では、セル（ｍ、ｋ＋２）が本例で最後のスキャンラインであることから、全てのプロセスが終了する。即ち、各サブフィールド期間は、全て検査され、各サブフィールド期間の値は、ステップ１２３５以降のステップに基づいて変換される。図１５は、１セットのＳＦ値の最後の変換結果を示し、続いて選択性書き込みモードの特定サブフィールド期間で画素セルをＯＮにし、フレーム期間期間が終わるまで維持され、前記プラズマディスプレイの画素セルを駆動する。
【００４２】
図１５に示されたＳＦ値を用いることによって画像セルを駆動し、スキャンライン（Ｘｋ−２、Ｙｋ−２）からスキャンライン（Ｘｋ＋２、Ｙｋ＋２）までスキャンする。データラインＤｍのデータ信号が切換わる数の合計は６回で、図１０の場合８回より少ない。
【００４３】
図１４は、ＯＲ演算に基づいて前記画素セルの画像データをＳＦ値に変換し、前記アドレスドライバによって前記画素セルを駆動する。ステップ１４１０では、図１０の１セットの初めのＳＦ値を例に挙げる。前記画素データに基づき画像セルの階調が決められ、各画素セルの特定サブフィールド期間は、セル（ｍ、ｋ−２）のサブフィールド期間ＳＦ８、セル（ｍ、ｋ−１）のサブフィールド期間ＳＦ１０、セル（ｍ、ｋ）のサブフィールド期間ＳＦ１１、セル（ｍ、ｋ＋１）のサブフィールド期間ＳＦ１０と、セル（ｍ、ｋ＋２）のサブフィールド期間ＳＦ７であり、その値は、全て１値に設定するものとする。ステップ１４２０では、特定サブフィールド期間の前に位置するサブフィールド期間は、全て０値に設定する。ステップ１４３０では、特定サブフィールド期間の後に位置する各サブフィールド期間は、全て０値に設定する。
【００４４】
ステップ１４３５では、ＯＲ演算を行うものとし、本例の第一スキャンライン、セル（ｍ、ｋ−２）のサブフィールド期間ＳＦ８から始めるものとする。各サブフィールド期間で言えば、そのＯＲ演算は、第一スキャンラインから始められる。本例では、セル（ｍ、ｋ−２）がサブフィールド期間ＳＦ８である。ステップ１４４０で、セル（ｍ、ｋ−２）の中のサブフィールド期間ＳＦ８は、特定サブフィールド期間の後に位置しないと判断したとする。すると、ステップ１４４５で、サブフィールド期間ＳＦ８が、セル（ｍ、ｋ−２）の特定サブフィールド期間であるかどうか判断する。特定サブフィールド期間であるとするとステップ１４７０で、既に保存されたＩＤを有するサブフィールド期間がある場合、その値が、１値に設定される。実際には本例のようなことがなければ、このステップは省略できる。ステップ１４７５では、保存されたＩＤを消去するステップが設けられるが、これも省略可能である。そして、ステップ１４８０により、セル（ｍ、ｋ−１）のサブフィールド期間ＳＦ８が、特定サブフィールド期間ＳＦ１０の後にあるか否かの判断がされる。そして、後にあるとすれば、ステップ１４８５で、セル（ｍ、ｋ−１）のサブフィールド期間ＳＦ８の値を、１に設定される。そして、ステップ１４８０に戻る。セル（ｍ、ｋ）のサブフィールド期間ＳＦ８は、特定サブフィールド期間ＳＦ１１の後に位置する場合、ステップ１４８５では、セル（ｍ、ｋ）のＳＦ８を、１とする。そして、ステップ１４８０に戻る。セル（ｍ、ｋ＋１）のサブフィールド期間ＳＦ８は、前記セルの特定サブフィールド期間ＳＦ１０の後に位置させる。そして、ステップ１４８５に戻る。セル（ｍ、ｋ＋１）のサブフィールド期間ＳＦ８は、１値に設定される。そして、ステップ１４８５に戻る。セル（ｍ、ｋ＋２）のサブフィールド期間ＳＦ８は、前記特定サブフィールド期間ＳＦ７の後に位置しない。ステップ１４５５では、サブフィールド期間ＳＦ８は、セル（ｍ、ｋ＋２）の特定サブフィールド期間でないと判断する。ステップ１４６０に進み、保存されたＩＤを消去するステップとなるが、本例での説明は省略する。ステップ１４６５では、スキャンラインｋ＋２が最後のラインであることから、ここでプロセスが終了する。
【００４５】
ステップ１４３５では、サブフィールド期間ＳＦ７をもう一つの例に挙げる。前記ＯＲ演算は、第一スキャンライン、セル（ｍ、ｋ−２）から始められる。ステップ１４４０では、サブフィールド期間ＳＦ７は、セル（ｍ、ｋ−２）の特定サブフィールド期間ＳＦ８の後に位置すると判断される。その結果、ステップ１４４５にスキップする。セル（ｍ、ｋ−２）のサブフィールド期間ＳＦ７のＩＤは、保存される。ステップ１４５０で、サブフィールド期間ＳＦ７を、セル（ｍ、ｋ−１）の特定サブフィールド期間ＳＦ１０の後に位置すると判断される。すると、ステップ１４４５で、セル（ｍ、ｋ−１）のサブフィールド期間ＳＦ７のＩＤが、保存される。ステップ１４５０では、動作点をセル（ｍ、ｋ）のサブフィールド期間ＳＦ７に移される。そして、ステップ１４４０に戻る。サブフィールド期間ＳＦ７は、セル（ｍ、ｋ）の特定サブフィールド期間ＳＦ１１の後に位置される。かかる場合ステップ１４４５にスキップする。そして、前記セル（ｍ、ｋ）のサブフィールド期間ＳＦ７のＩＤ値は、保存される。ステップ１４５０で、動作点がセル（ｍ、ｋ＋１）のサブフィールド期間ＳＦ７に移される。ステップ１４４０に戻る。サブフィールド期間ＳＦ７は、セル（ｍ、ｋ＋１）の特定サブフィールド期間ＳＦ１０の後に位置される。かかる場合ステップ１４４５では、前記セル（ｍ、ｋ＋１）のサブフィールド期間ＳＦ７のＩＤデータが保存される。ステップ１４５０では、動作点がセル（ｍ、ｋ＋１）のサブフィールド期間ＳＦ７に移される。ステップ１４４０に戻る。前記サブフィールド期間ＳＦ７は、セル（ｍ、ｋ＋２）の特定サブフィールド期間ＳＦ７の後に位置しないとする。この場合、ステップ１４４５では、サブフィールド期間ＳＦ７は、セル（ｍ、ｋ＋２）の特定サブフィールド期間となる。ステップ１４７０では、保存されたＩＤ値、セル（ｍ、ｋ−２）、セル（ｍ、ｋ−１）、セル（ｍ、ｋ）、セル（ｍ、ｋ＋１）を含む値は、全て１値に設定される。ステップ１４７５では、既に保存されたＩＤデータを消去する。ステップ１４８０では、スキャンラインｋ＋２が最後のラインであることから、ここでプロセスが終了する。
【００４６】
各サブフィールド期間がチェックされ、その値はステップ１４３５のプロセスに基づいて変換される。図１５は、１セットのＳＦ値の最後の変換結果を示し、最後に、プラズマディスプレイの画素セルを駆動するように用いられる。選択性書き込みモードの特定サブフィールド期間でフレーム期間が終わるまで画素セルをＯＮにする。
【００４７】
図１５に示したＳＦ値を用いることで画素セルを駆動し、スキャンライン（Ｘｋ−２、Ｙｋ−２）からスキャンライン（Ｘｋ＋２、Ｙｋ＋２）までスキャンし、データラインＤｍがデータ信号を切換える数は全部で５回であり、図１０の８回に比べて少ない。
【００４８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【産業上の利用可能性】
【００４９】
従来からプラズマディスプレイパネルは、大画面化は容易であるが、液晶ディスプレイパネルと比較して、消費電力が高いといわれてきた。しかし、本件発明に係る画素セルの駆動方法及びその駆動方法を採用したプラズマディスプレイを用いれば、画素セルの極性の切換え回数を減少させ、発熱量及び消費電力の削減が可能となる。従って、プラズマディスプレイパネルの寿命を延ばし、且つ、低消費エネルギーの製品を提供出来る。
【図面の簡単な説明】
【００５０】
【図１】従来のフレーム期間とサブフィールド期間のタイミング図である。
【図２】ＣＬＥＡＲ駆動方法を用いたフレーム期間のタイミング図の中の選択性書き込みモードである。
【図３】本発明の実施例の一つのプラズマディスプレイの駆動回路配置図である。
【図４】選択性書き込みモードの従来のデータ変換表である。
【図５】選択性書き込みモードの従来のデータ変換表である。
【図６】選択性消去モードでＣＬＥＡＲ駆動方法を用いた従来のフレーム期間のタイミング図である。
【図７】選択性書き込みモードの従来のデータ変換表である。
【図８】選択性書き込みモードの従来のデータ変換表である。
【図９】本発明の実施例の図３の中のプラズマディスプレイの一部である。
【図１０】図４のデータ変換表に対応して変換された従来のＳＦデータ表である。
【図１１】図５のデータ変換表に対応して変換された従来のＳＦデータ表である。
【図１２】本発明の実施例の一つのＳＦデータ表の流れ図である。
【図１３】図１２の方法で変換されたＳＦデータ表である。
【図１４】本発明のもう一つの実施例のＳＦデータ表を変換する流れ図である。
【図１５】ＡＮＤ演算でＳＦデータ表を変換する流れ図である。
【図１６】図１５の方法で変換されたＳＦデータ表である。
【図１７】ＯＲ演算でＳＦデータ表を変換する流れ図である。
【図１８】図１７の方法で変換されたＳＦデータ表である。
【符号の説明】
【００５１】
３１０  データ駆動回路
３２０  データ変換回路
３３０  アナログデジタルコンバータ
３４０  同期検出器
３５０  駆動制御回路
３６０  フレーム期間メモリ
３７０  行駆動回路
【図１】
2005346084.tif 000003
【図２】
2005346084.tif 000004
【図３】
2005346084.tif 000005
【図４】
2005346084.tif 000006
【図５】
2005346084.tif 000007
【図６】
2005346084.tif 000008
【図７】
2005346084.tif 000009
【図８】
2005346084.tif 000010
【図９】
2005346084.tif 000011
【図１０】
2005346084.tif 000012
【図１１】
2005346084.tif 000013
【図１２】
2005346084.tif 000014
【図１３】
2005346084.tif 000015
【図１４】
2005346084.tif 000016
【図１５】
2005346084.tif 000017
【図１６】
2005346084.tif 000018
【図１７】
2005346084.tif 000019
【図１８】
2005346084.tif 000020